(57)【要約】【課題】  個人情報の漏洩の虞がなく、かつ簡単な操作で相手先と通信を行うことができるようにした通信端末装置を提供する。【解決手段】  無線タグの情報と前記相手先情報との対応関係を相手先情報記憶部１０２により記憶管理し、携帯電話機１０に無線タグ２１を埋め込んだカード２０をかざすことにより該無線タグ２１の情報を受信し、該受信した無線タグの情報に基づき相手先情報記憶部１０２から該無線タグの情報に対応する相手先情報を取得し、該取得した相手先情報に基づき自動発呼して相手先と通信確立を行う。【選択図】  図１
2007208916.tif 000002
【特許請求の範囲】
【請求項１】
相手先情報に基づき相手先と通信を行う通信機能を有する通信端末装置において、
無線タグから情報を受信する無線タグ受信手段と、
前記無線タグの情報と前記相手先情報との対応関係を記憶管理する相手先情報記憶手段と、
前記無線タグ受信手段で受信した前記無線タグの情報に基づき前記相手先情報記憶手段から該無線タグの情報に対応する相手先情報を取得する相手先情報取得手段と、
前記相手先情報取得手段で取得した相手先情報に基づき自動発呼して相手先と通信確立を行う通信手段と
を具備することを特徴とする通信端末装置。
【請求項２】
前記無線タグ受信手段は、
複数の無線タグから情報を受信し、
前記通信手段は、
前記無線タグ受信手段で受信した複数の無線タグの情報が特定の組み合わせである場合に前記相手先情報取得手段で取得した相手先情報に対応する相手先と通信確立を行う
ことを特徴とする請求項１記載の通信端末装置。
【請求項３】
前記無線タグの情報と装置内設定項目との対応関係を記憶する設定項目記憶手段
を更に具備し、
前記無線タグ受信手段は、
複数の無線タグから情報を受信し、
前記通信手段は、
前記無線タグ受信手段で受信した複数の無線タグの情報の中の前記設定項目記憶手段に記憶された無線タグの情報に対応する装置内設定項目に基づき装置内設定を行って相手先と通信を行う
ことを特徴とする請求項１記載の通信端末装置。
【発明の詳細な説明】
【技術分野】
【０００１】
この発明は、通信端末装置に関し、特に、簡単な操作で相手先と通信を行うことができるようにした通信端末装置に関する。
【背景技術】
【０００２】
最近の携帯電話機等の通信端末装置においては、多種の機能が搭載され、特に幼児や高齢者にとっては目的の相手先と迅速に通信を行うのは困難になっている。
【０００３】
例えば、携帯電話機においては、アドレス帳機能があるが、アドレス帳に対する相手先の登録およびこのアドレス帳から特定の相手先を探し出すのは、幼児や高齢者にとっては容易ではない。
【０００４】
また、携帯電話機のメール機能においても、所望の設定を行って相手先にメールを送信するのは容易ではない。
【０００５】
従来、アドレス帳等に対する相手先の登録を容易にする技術としては特許文献１に開示されたものが知られている。
【０００６】
この特許文献１には、名刺等に連絡先情報を含む無線タグ情報を送信する無線タグを付して、この無線タグを携帯電話機にかざすことにより連絡先情報を携帯電話機内のメモリに格納し、この連絡先情報を用いて相手先と通信を可能にするものである。
【特許文献１】特開２００４−２０８０９７号公報
【発明の開示】
【発明が解決しようとする課題】
【０００７】
しかし、特許文献１に記載された構成は、無線タグから携帯電話機に対して連絡先情報が直接送信されるので、利用方法によっては個人情報の漏洩の虞があるという問題があった。
【０００８】
また、特許文献１に記載された構成においては、連絡先情報の取り込みは簡単になるが、相手先と通信を行うためには、記憶された連絡先情報を呼び出す操作が必要になり、結果的に幼児や高齢者にとっては、相手先との通信が容易になるとは限らない。
【０００９】
そこで、この発明は、個人情報の漏洩の虞がなく、かつ簡単な操作で相手先と通信を行うことができるようにした通信端末装置を提供することを目的とする。
【課題を解決するための手段】
【００１０】
上記目的を達成するため、この発明は、相手先情報に基づき相手先と通信を行う通信機能を有する通信端末装置において、無線タグから情報を受信する無線タグ受信手段と、前記無線タグの情報と前記相手先情報との対応関係を記憶管理する相手先情報記憶手段と、前記無線タグ受信手段で受信した前記無線タグの情報に基づき前記相手先情報記憶手段から該無線タグの情報に対応する相手先情報を取得する相手先情報取得手段と、前記相手先情報取得手段で取得した相手先情報に基づき自動発呼して相手先と通信確立を行う通信手段とを具備することを特徴とする。
【発明の効果】
【００１１】
この発明によれば、無線タグの情報と相手先情報との対応関係を相手先情報記憶手段により記憶管理し、通信端末装置に無線タグをかざすことにより該無線タグの情報を受信し、該受信した無線タグの情報に基づき相手先情報記憶手段から該無線タグの情報に対応する相手先情報を取得し、該取得した相手先情報に基づき自動発呼して相手先と通信確立を行うように構成したので、無線タグと通信端末装置との間には個人情報が直接送信されず、これにより個人情報の漏洩の虞がなく、また、簡単な操作で相手先と通信を行うことができるという効果を奏する。
【発明を実施するための最良の形態】
【００１２】
以下、この発明に係わる通信端末装置の実施例を添付図面を参照して詳細に説明する。
【００１３】
なお、以下に示す実施例においては、この発明を携帯電話機に適用した場合について説明する。
【実施例１】
【００１４】
図１は、この発明の通信端末装置を適用して構成した携帯電話機の一実施例を示すブロック図である。
【００１５】
図１において、この実施例１の携帯電話機１０は、無線タグ受信機１０１を具備し、ユーザが携帯する無線タグ２１が埋め込まれたカード２０をこの携帯電話機１０にかざすことにより、無線タグ受信機１０１によりカード２０の無線タグ２１から無線タグ情報を取得し、この無線タグ情報に基づき通信相手先情報を特定して、この特定した通信相手先情報に基づき自動発呼して相手先との間の通信を確立するように構成されている。
【００１６】
ここで、無線タグ受信機１０１によりカード２０の無線タグ２１から取得する無線タグ情報は、そのままでは意味のない情報であり、この無線タグ情報は、携帯電話機１０内において、特定の通信相手先情報と対応付けされており、携帯電話機１０では、この対応付けに基づき通信相手先情報を特定する。
【００１７】
このような構成によると、無線タグ２１から無線タグ受信機１０１へは、そのままでは意味のない情報である無線タグ情報が伝送され、その結果、無線タグ２１から無線タグ受信機１０１への情報を傍受したり、このカードを第３者が取得して無線タグ情報を解析したとしても、これにより、個人情報である通信相手先情報が第３者に知られる虞はない。
【００１８】
また、この構成によると、直感的に利用方法が分かり易いため、どのような人間でも利用することが可能となる。特に、幼児等にとっては、携帯電話機内部の電話帳から親の電話番号を探しだすよりは、親の写真を携帯電話機にかざす方が利用しやすい。
【００１９】
図２は、図１に示した携帯無線電話機１０の詳細構成を示すブロック図である。
【００２０】
図２において、この携帯無線電話機１０は、無線タグ受信機１０１、相手先情報記憶部１０２、操作部１０３、送受信処理部１０４、アンテナ１０５、信号処理部１０６、スピーカ１０７、マイクロフォン１０８、表示部１０９、電源部１１０、制御部１１１を具備して構成される。
【００２１】
ここで、無線タグ受信機１０１、図１に示したカード２０が、この携帯無線電話機１０にかざされた場合に、カード２０に埋め込まれた無線タグ２１から無線タグ情報を非接触で受信するものである。
【００２２】
相手先情報記憶部１０２は、上記無線タグ情報に対応して相手先の電話番号等の相手先情報が記憶されている。
【００２３】
図３は、相手先情報記憶部１０２に記憶される情報の一例を示す図である。
【００２４】
図３においては、無線タグ情報、例えば、所定ビットのコード情報に対応付けられて、相手先の電話番号等を示す相手先情報が記憶されている。
【００２５】
すなわち、この実施例１の携帯電話機１０においては、図４に示すような各宛先に対応する複数のカードを使用可能に構成されており、各カードの無線タグには、宛先に対応する無線タグ情報が格納されている。
【００２６】
ただし、ここで各カードの無線タグに格納される無線タグ情報は、そのままで意味を有さないコード情報等である。このコード情報は、カードは識別しているが、直接相手先情報を表現するものではない。
【００２７】
図４においては、４枚のカード２０−１〜２０−４の一例が記載されており、例えば、図４（ａ）に示すカード２０−１は、「パパ」に対して通話を行うときに使用するもので、その無線タグ２１−１には、コード情報「ｃｃｃ」が格納されており、その表面には、通話相手が「パパ」であることを明示的に示すイラスト等が記載されている。
【００２８】
また、図４（ｂ）に示すカード２０−２は、「ママ」に対して通話を行うときに使用するもので、その無線タグ２１−２には、コード情報「ａａａ」が格納されており、その表面には、通話相手が「ママ」であることを明示的に示すイラスト等が記載されている。
【００２９】
同様に、図４（ｃ）に示すカード２０−３は、例えば、通園する幼稚園に対して必要な連絡を行うために、「幼稚園」と通話を行うときに使用するもので、その無線タグ２１−３には、コード情報「ｄｄｄ」が格納されており、その表面には、通話相手がが「幼稚園」であることを明示的に示すイラスト等が記載されている。
【００３０】
また、図４（ｄ）に示すカード２０−４は、例えば、緊急時に「警察」に対して通話を行うときに使用するもので、その無線タグ２１−４には、コード情報「ｂｂｂ」が格納されており、その表面には、通話相手が「警察」であることを明示的に示すイラスト等が記載されている。
【００３１】
この図４に示す複数のカードは、通話相手先に応じて選択して携帯電話機１０にかさざれるものである。
【００３２】
図３においては、この各カード２０−１〜２０−４の無線タグ２１−１〜２１−４に格納されているコード情報に対応して、各カード２０−１〜２０−４を用いた通話相手である相手先の電話番号等を含む相手先情報が記憶されている。
【００３３】
操作部１０３は、ダイヤルキー、電源ＯＮキー等を含む各種キーを有している。
【００３４】
送受信処理部１０４は、アンテナ１０５を介して送受信する無線信号の処理を行う。
【００３５】
信号処理部１０６は、スピーカ１０７に出力する音声信号、マイクロフォン１０８から入力された音声信号の処理を行う。ここで、スピーカ１０７およびマイクロフォン１０８はこの携帯電話機１０の音声通話のための送受話器として機能する。
【００３６】
表示部１０９は、この携帯電話機１０の各種情報を表示するものであり、電源部１１０は、この携帯電話機１０の各部に電源を供給するものである。
【００３７】
また、制御部１１１は、この携帯電話機１０の各部の動作を統括制御するものであり、この実施例１においては、無線タグ受信機１０１で受信した（読み取った）無線タグ情報に基づき相手先情報記憶部１０２から該無線タグ情報に対応する相手先情報を取得する処理、この取得した相手先情報に基づき相手先に自動発呼して、相手先と通信確立を行う処理等を行う。
【００３８】
図５は、図１に示したこの実施例１における携帯電話機１０の動作を示すフローチャートである。
【００３９】
図５において、携帯電話機１０に図４に示したようなカードのいずれかがかざされると、無線タグ受信機１０１は、このカード２０の無線タグ２１から無線タグ情報を読み取る（ステップ５０１）。
【００４０】
次に、制御部１１１は、この無線タグ受信機１０１で読み取った無線タグ情報に基づき相手先記憶部１０２を検索して（ステップ５０２）、この無線タグ情報に対応する相手先情報を取得する（ステップ５０３）。
【００４１】
例えば、携帯電話機１０にかざされたカードが図４（ａ）に示す通信相手が「パパ」のカード２０−１であるとすると、無線タグ受信機１０１はカード２０−１の無線タグ２１−１から無線タグ情報であるコード情報「ｃｃｃ」を読み取り、制御部１１２は、このコード情報「ｃｃｃ」に基づき図３に示したテーブルを検索して、「パパ」の電話番号等の相手先情報を取得する。
【００４２】
そして、制御部１１１は、送受信処理部１０４を制御して、この取得した相手先情報に基づき相手先に自動発呼して相手先と通信確立を行い（ステップ５０４）、この処理を終了する。
【００４３】
このような構成によると、所望の相手先と通話を行う場合は、相手先に対応するカード２０を携帯電話機１０にかざすだけで、相手先に自動発呼して通信確立が行われるので、簡単な操作で相手先と通信を行うことができ、また、カード２０には、直接相手先情報が格納されていないので、カード２０を紛失した場合等においても個人情報が漏洩することはない。
【実施例２】
【００４４】
図６は、この発明の通信端末装置を適用した携帯電話機の実施例２を示すブロック図である。
【００４５】
この実施例２においては、複数のカードを用いて、このカードの組み合わせにより相手先と通信確立を行う。
【００４６】
すなわち、図６においては、通信確立時に、カード２０および３０を携帯電話機１０にかざすことにより相手先と通信確立を行う。
【００４７】
ここで、カード２０は、実施例１で用いたカード２０と同様のものである。すなわち、カード２０の無線タグ２１には、実施例１で用いたカード２０と同様に、相手先情報を取得するためのコード情報が格納されている。
【００４８】
また、カード３０は、この実施例２では、その磁気タグ３１にユーザの識別情報が格納されている。
【００４９】
そして、カード２０とカード３０の組み合わせが適正である場合に限り再手先に対する自動発呼による通信確立を行う。
【００５０】
このような構成によると、例えば、カード３０に子供が好むイラスト等を記載し、このカード３０だけは常に携帯して紛失しないようにさせ、通話時にはこのカード３０と通信相手先を指定する必要なカード２０とを重ねて携帯電話機１０にかざすようにすることで、特定の利用者以外のこのシステムの利用を制限することが可能になる。
【００５１】
図７は、この実施例２を実現するための携帯電話機１０の一実施例を示すブロック図である。
【００５２】
この図７に示す携帯電話機１０は、図２に示した携帯電話機１０に識別情報記憶部１１２を追加して構成される。他の構成は、図２に示した携帯電話機１０と同様であり、その詳細説明は省略する。
【００５３】
ここで、識別情報記憶部１１２には、このシステムの利用可能者の識別情報を予め記憶管理している。
【００５４】
制御部１１１は、無線タグ受信機１０２でカード３０の無線タグ３１から受信した（読み取った）識別情報を識別情報記憶部１１２で管理されている識別情報と照合し、一致した場合にのみ、カード２０の無線タグ２１から受信した無線タグ情報に基づく相手先情報記憶部１０２からの相手先情報の取得を可能にする。
【００５５】
このように構成することで、特定の利用者以外のこのシステムの利用を制限することが可能になる。
【００５６】
図８は、図７に示したこの実施例２における携帯電話機１０の動作を示すフローチャートである。
【００５７】
図８において、携帯電話機１０に図６に示したカード２０および３０がかざされると、無線タグ受信機１０１は、このカード２０の無線タグ２１およびカード３０の無線タグ３１から無線タグ情報をそれぞれ読み取る（ステップ８０１）。
【００５８】
次に、制御部１１１は、カード３０の無線タグ３１から読み取った無線タグ情報（識別情報）を識別情報記憶部１１２で管理されている識別情報と照合し、一致するかの判断を行う（ステップ８０２）。ここで、両者が一致しないと（ステップ８０２でＮＯ）、この処理は利用できないので、このまま、この処理を終了する。
【００５９】
ステップ８０２で、カード３０の無線タグ３１から読み取った識別情報が識別情報記憶部１１２で管理されている識別情報と一致すると（ステップ８０２でＹＥＳ）、無線タグ受信機１０１で読み取ったカード２０の無線タグ２１の無線タグ情報に基づき相手先記憶部１０２を検索して（ステップ８０３）、この無線タグ情報に対応する相手先情報を取得する（ステップ８０４）。
【００６０】
そして、制御部１１１は、送受信処理部１０４を制御して、この取得した相手先情報に基づき相手先に自動発呼して相手先と通信確立を行い（ステップ８０５）、この処理を終了する。
【００６１】
このような構成によると、特定の利用者以外のこのシステムの利用を制限することが可能になり、かつ簡単な操作で相手先と通信を行うことができ、また、カード２０には、直接相手先情報が格納されていないので、カード２０を紛失した場合等においても個人情報が漏洩することはない。
【実施例３】
【００６２】
図９は、この発明の通信端末装置を適用した携帯電話機の実施例３を示すブロック図である。
【００６３】
この実施例３は、携帯電話機内設定項目に対応する無線タグ情報を格納するカードを用いることにより携帯電話機内設定項目の設定を自動的に行って通信を行うことができるようにしたものである。
【００６４】
図９においては、通信相手先を指定するカード２０に加えて、メール機能を設定するカード４０、メール内容を指定するカード５０、相手先のセキュリティゲートウェイに対する設定を行うカード６０の４枚のカードを重ねて携帯電話機１０にかざし、この４枚のカード２０、４０、５０、６０の無線タグ２１、４１、５１、６１の無線タグ情報を携帯電話機１０の無線タグ受信機１０１で読み取ることにより、カード２０で指定した相手先にカード４０、５０、６０で設定した所望の設定でメールを送信することができるように構成されている。
【００６５】
すなわち、この場合、通信先である会社Ａに対して、セキュリティーゲートウエイを利用して、メールで「今から帰社します」というメールを送るという操作を下記４枚のカード２０、４０、５０、６０を重ねて携帯電話機１０にかざすだけで自動実行することが可能になる。
【００６６】
図１０は、この実施例３を実現するための携帯電話機１０の一実施例を示すブロック図である。
【００６７】
この図１０に示す携帯電話機１０は、図２に示した携帯電話機１０に設定項目情報記憶部１１３を追加して構成される。他の構成は、図２に示した携帯電話機１０と同様であり、その詳細説明は省略する。
【００６８】
ここで、設定項目情報記憶部１１３には、無線タグ情報に対応付けて携帯電話機内設定項目が記憶管理される。
【００６９】
制御部１１１は、無線タグ受信機１０２でカード４０、５０、６０の無線タグ４１、５１、６１から受信した（読み取った）無線タグ情報に基づき設定項目情報記憶部１１３で記憶管理されている情報を参照して携帯電話機内設定項目等の設定を行い、カード２０の無線タグ２１から受信した（読み取った）無線タグ情報に基づきに相手先情報記憶部１０２を検索して相手先情報を取得して設定で通信を行う。
【００７０】
図１１は、図１０に示した上記実施例３における携帯電話機１０の動作を示すフローチャートである。
【００７１】
図１１において、携帯電話機１０にカードがかざされると、無線タグ受信機１０１は、このカードの無線タグから無線タグ情報をそれぞれ読み取る（ステップ１１０１）。
【００７２】
次に、制御部１１１は、読み取った無線タグ情報に基づき設置内設定項目の自動設定を行う（ステップ１１０２）。
【００７３】
例えば、携帯電話機１０にかざされたカードが、図９に示すように、通信相手先を指定するカード２０、メール機能を設定するカード４０、メール内容を指定するカード５０、相手先のセキュリティゲートウェイに対する設定を行うカード６０の４枚である場合は、まず、カード４０の無線タグ４１から読み取った無線タグ情報に基づき設定項目情報記憶部１０３の記憶データを参照してメール機能の設定を行い、カード５０の無線タグ５１から読み取った無線タグ情報に基づき設定項目情報記憶部１０３の記憶データを参照してメール内容の設定を行い、カード６０の無線タグ６１から読み取った無線タグ情報に基づき設定項目情報記憶部１０３の記憶データを参照してセキュリティゲートウェイに対する設定を行う。
【００７４】
次に、制御部１１１は、無線タグ受信機１０１で読み取ったカード２０の無線タグ２１の無線タグ情報に基づき相手先記憶部１０２を検索して（ステップ１１０３）、この無線タグ情報に対応する相手先情報を取得する（ステップ１１０４）。
【００７５】
そして、制御部１１２は、送受信処理部１０４を制御して、この取得した相手先情報に基づき相手先に自動発呼して相手先と通信確立を行い（ステップ１１０５）、この処理を終了する。
【００７６】
このような構成によると、例えば、会社Ａにセキュリティーゲートウエイを利用して、メールで「今から帰社します」というメールを送信する操作を下記４枚のカードを携帯電話機１０にかざすだけで行うことができる。
【００７７】
すなわち、この構成によれば、場電子化されている設定項目を視覚的かつ物理的な物体とすることでより人間の感性に近い利用が可能となり、また、特に言語にとらわれることなく設定することも可能となる。
【００７８】
なお、上記実施例１乃至３においては、無線タグをカードに埋め込む構成を採用したが、例えば、手の不自由な方ならば写真に無線タグを埋め込んだり、目の不自由な方ならばある一定の形をした人形等に無線タグを埋め込むことによってもこの発明は同様に実現できる。
【００７９】
また、複数の無線タグを組み合わせてかざす構成においては、この複数の無線タグを小さな袋に入れて持ち運び、それを袋ごと携帯電話機にかざして通信を行う構成も採用することができる。
【００８０】
また、この発明は、携帯電話機に限らず、相手先と通信を行う通信機能を有する通信端末装置であれば同様に適用可能である。
【産業上の利用可能性】
【００８１】
この発明は、相手先情報に基づき相手先と通信を行う通信機能を有する携帯電話機等の通信端末装置に利用可能である。
【００８２】
この発明によれば、無線タグの情報と相手先情報との対応関係を相手先情報記憶手段により記憶管理し、通信端末装置に無線タグをかざすことにより該無線タグの情報を受信し、該受信した無線タグの情報に基づき相手先情報記憶手段から該無線タグの情報に対応する相手先情報を取得し、該取得した相手先情報に基づき自動発呼して相手先と通信確立を行うように構成したので、無線タグと通信端末装置との間には個人情報が直接送信されず、これにより個人情報の漏洩の虞がなく、また、簡単な操作で相手先と通信を行うことができる。
【図面の簡単な説明】
【００８３】
【図１】この発明の通信端末装置を適用して構成した携帯電話機の一実施例を示すブロック図である。
【図２】図１に示した携帯無線電話機１０の詳細構成を示すブロック図である。
【図３】図２に示した相手先情報記憶部に記憶される情報の一例を示す図である。
【図４】図１に示した実施例１に使用されるカードの一例を示す図である。
【図５】図１に示した実施例１における携帯電話機の動作を示すフローチャートである。
【図６】この発明の通信端末装置を適用した携帯電話機の実施例２を示すブロック図である。
【図７】実施例２を実現するための携帯電話機の一実施例を示すブロック図である。
【図８】図７に示した実施例２における携帯電話機の動作を示すフローチャートである。
【図９】この発明の通信端末装置を適用した携帯電話機の実施例３を示すブロック図である。
【図１０】実施例３を実現するための携帯電話機の一実施例を示すブロック図である。
【図１１】図１０に示した実施例３における携帯電話機の動作を示すフローチャートである。図９に示したメールＤＢ部のセキュリティ送受信ボックスに保存されたセキュリティメールの確認処理に用いる操作画面の一例を示す図である。
【符号の説明】
【００８４】
１０    携帯電話機
２０、３０、４０、５０、６０    カード
２１、３１、４１、５１、６１    無線タグ
１０１    無線タグ受信機
１０２    相手先情報記憶部
１０３    操作部
１０４    送受信処理部
１０５    アンテナ
１０６    信号処理部
１０７    スピーカ
１０８    マイクロフォン
１０９    表示部
１１０    電源部
１１１    制御部
【図１】
2007208916.tif 000003
【図２】
2007208916.tif 000004
【図３】
2007208916.tif 000005
【図４】
2007208916.tif 000006
【図５】
2007208916.tif 000007
【図６】
2007208916.tif 000008
【図７】
2007208916.tif 000009
【図８】
2007208916.tif 000010
【図９】
2007208916.tif 000011
【図１０】
2007208916.tif 000012
【図１１】
2007208916.tif 000013